(57)【要約】      （修正有）【課題】釣り糸の使用時に釣り糸同士を連結する手間を軽減することができ、かつ、釣り糸同士が強固に連結される連結釣り糸を提供する。【解決手段】第１の釣り糸１０と、それに連結される第２の釣り糸２０と、を含む連結釣り糸１であって、第２の釣り糸２０は、環状部と、環状部を形成するための結び目と、結び目から環状部の反対側に伸びる延伸部と、を有し、第２の釣り糸２０のうち、結び目とそれに隣接する環状部の一部および延伸部の一部が第１の釣り糸１０の周りに直接巻回されて第１の巻回部を形成し、延伸部の一部に隣接する延伸部の別の一部が第１の巻回部の外周に巻回されて第２の巻回部を形成する。【選択図】図２
2019097394.tif 000002
【特許請求の範囲】
【請求項１】
第１の釣り糸と、それに連結される第２の釣り糸と、を含む連結釣り糸であって、
前記第２の釣り糸は、環状部と、前記環状部を形成するための結び目と、前記結び目から前記環状部の反対側に伸びる延伸部と、を有し、
前記第２の釣り糸のうち、前記結び目とそれに隣接する前記環状部の一部および前記延伸部の一部が前記第１の釣り糸の周りに直接巻回されて第１の巻回部を形成し、
前記延伸部の一部に隣接する該延伸部の別の一部が前記第１の巻回部の外周に巻回されて第２の巻回部を形成する、連結釣り糸。
【請求項２】
前記第２の釣り糸は前記第１の釣り糸よりも細い、請求項１に記載の連結釣り糸。
【請求項３】
請求項１または請求項２に記載の連結釣り糸と、
前記連結釣り糸を巻き付けるための糸巻きと、を含む用具であって、
前記糸巻きは、前記連結釣り糸の前記環状部を通過可能である、用具。
【請求項４】
第１の釣り糸と、それに連結される第２の釣り糸であって、環状部と、前記環状部を形成するための結び目と、前記結び目から前記環状部の反対側に伸びる延伸部とを有する第２の釣り糸と、からなる連結釣り糸を作成する方法であって、
釣り糸を巻き付けるためのボビンと、前記ボビンに巻き付けられた前記釣り糸を通過させて繰り出すノズルと、前記ノズルから繰り出される前記釣り糸に対してテンションを付加するテンション付加部と、を有する結線具の前記ノズルに、前記第２の釣り糸を前記延伸部側から挿通させる挿通ステップと、
前記第２の釣り糸を、前記テンション付加部を介して前記ボビンに巻き付けるボビン巻き付けステップと、
前記結線具に前記第１の釣り糸の周りを回転させて、前記第２の釣り糸の前記結び目とそれに隣接する前記環状部の一部および前記延伸部の一部を前記第１の釣り糸の周りに直接巻回して第１の巻回部を形成する第１の巻回部形成ステップと、
前記結線具に前記第１の釣り糸の周りを回転させて、前記延伸部の一部に隣接する該延伸部の別の一部を前記第１の巻回部の外周に巻回して第２の巻回部を形成する第２の巻回部形成ステップと、を有する方法。
【請求項５】
前記第２の釣り糸は前記第１の釣り糸よりも細い、請求項４に記載の方法。
【請求項６】
前記第１の巻回部形成ステップにより前記第１の巻回部が前記第１の釣り糸に沿って形成されていく方向と、前記第２の巻回部形成ステップにより前記第２の巻回部が前記第１の釣り糸に沿って形成されていく方向とは反対向きである、請求項４または請求項５に記載の方法。
【請求項７】
前記テンション付加部は棒状部分を有し、
前記ボビン巻き付けステップは、前記第２の釣り糸を前記テンション付加部の前記棒状部分の周りに巻き付けることを含む、請求項４〜６のいずれか一項に記載の方法。
【発明の詳細な説明】
【技術分野】
【０００１】
本発明は釣り糸に関するものであり、より詳しくは、複数の釣り糸が連結された連結釣り糸に関する。
【背景技術】
【０００２】
釣具のリールに巻く釣り糸（道糸、ライン）としては、遠投を容易とし、かつ、水の抵抗を抑えるために、比較的細い釣り糸が使用される。ラインは軽くしなやかで、かつ、高い引張強度を有する事が望ましい。そのため近年では、従来のナイロンラインの３倍以上の引張強度を有するＰＥライン（ポリエチレンライン）が使用されることが多くなっている。
ただし、ＰＥラインは表面摩擦が少ないため結線作業が難しいという問題がある。また、ＰＥラインを折り曲げると強度が低下し切れ易く、かつ、岩や貝、海藻、魚体などと擦れると切れ易い（すなわち、傷に対して弱い）。更には、ＰＥラインは伸びが比較的少ないという問題もある。
【０００３】
そこで、ＰＥラインを用いる場合には、その先端に比較的太い釣り糸（リーダー）を連結して、リーダーに対してルアーや釣り針等を連結するという方法がよく用いられる。リーダーとしては、例えば、結線が容易なナイロンや、摩耗に対する耐久性が高いフロロカーボン製のリーダーが用いられる。このようにラインとリーダーとを組み合わせて用いることにより、ルアーや釣り針に魚がかかった場合に、先端部の釣り糸が岩や貝、海藻、魚体などと擦れて切れることを防いでいる。
【０００４】
ＰＥラインの引張強度に対応するため、ＰＥラインの３〜４倍程度の直径のリーダーを使用する事が多い。このように両者の直径が極端に異なる場合であって、しかもＰＥライン表面の滑り易さからリーダーとラインの間の表面摩擦が少ない場合であっても糸抜けを抑制し得る結線方法として、ＦＧノット、ＳＦノット、ミッドノット、ＰＲノット等の、釣り糸を編み込む作業を含む結線方法が提案されてきた（例えば、特許文献１〜３を参照されたい）。
【先行技術文献】
【特許文献】
【０００５】
【特許文献１】特許第４３７０５２３号公報
【特許文献２】特許第５０５９０４１号公報
【特許文献３】特許第５６０８２６７号公報
【発明の概要】
【発明が解決しようとする課題】
【０００６】
ただし、上記したような釣り糸を編み込む作業を含む結線方法は一定の熟練が必要であり、しかも時間がかかるという問題があった。特に、船上での結線作業や、強風時、荒天時、夜間の結線作業は更に困難なものとなる問題があった。更に、結線のために特別な結線具を使用する必要がある場合には、結線具に釣り糸を取り付ける手順が面倒かつ困難であり、結線具の使用にも熟練が必要であり、結線具を持ち運ぶことの煩わしさもあった。
【０００７】
本発明は上記の問題を解決するためになされたものであって、その目的は、釣り糸の使用時に釣り糸同士を連結する手間を軽減することができ、かつ、釣り糸同士が強固に連結される連結釣り糸を提供することをその目的の一つとする。
【課題を解決するための手段】
【０００８】
本発明者は上記の課題を解決するために鋭意検討を重ねた結果、下記のように本発明の各局面に想到した。
すなわち、本発明の第１の局面による連結釣り糸は、第１の釣り糸と、それに連結される第２の釣り糸と、を含む連結釣り糸であって、第２の釣り糸は、環状部と、環状部を形成するための結び目と、結び目から環状部の反対側に伸びる延伸部と、を有し、第２の釣り糸のうち、結び目とそれに隣接する環状部の一部および延伸部の一部が第１の釣り糸の周りに直接巻回されて第１の巻回部を形成し、延伸部の一部に隣接する延伸部の別の一部が第１の巻回部の外周に巻回されて第２の巻回部を形成する、連結釣り糸である。
【発明の効果】
【０００９】
上記構成によれば、第１の釣り糸の周りに、第２の釣り糸からなる第１の巻回部と更にその外周に第２の巻回部とが形成されるため、第１の釣り糸に対して第２の釣り糸が強固に連結された連結釣り糸を得ることができ、連結釣り糸は環状部を有することから、例えば道糸の先端に形成した輪状部分との連結を容易に行うことができる。これにより、釣り糸の使用時に釣り糸同士を編み込む作業を行う必要がない。また、環状部を形成するための結び目が第１の巻回部に含まれ、その外周を第２の巻回部が覆うことから結び目が表面に現れず、かつ結び目が小さく圧縮されるため美観に優れ、しかも、結び目が釣り竿のガイドリングに引っ掛かることを防止できる利点がある。
【００１０】
また、本発明の第２の局面によれば、上記の連結釣り糸において、第２の釣り糸は第１の釣り糸よりも細い。これによれば、第２の釣り糸は細くしなやかな道糸との連結に適するものとすることができるとともに、第１の釣り糸は岩場や魚との接触に強くルアーや釣り針等との連結に適するものとすることができ、両者の利点を同時に活用できる。
また、本発明の第３の局面によれば、上記の連結釣り糸と、連結釣り糸を巻き付けるための糸巻きと、を含む用具が規定され、糸巻きは、連結釣り糸の環状部を通過可能である。これによれば、環状部を道糸の輪状の部分に通し、その状態で糸巻きごと環状部に通して引き絞ることで連結釣り糸を道糸に対して連結することができ、連結の作業効率が高い。
【００１１】
また、本発明の第４の局面による方法は、第１の釣り糸と、それに連結される第２の釣り糸であって、環状部と、環状部を形成するための結び目と、結び目から環状部の反対側に伸びる延伸部とを有する第２の釣り糸と、からなる連結釣り糸を作成する方法であって、釣り糸を巻き付けるためのボビンと、ボビンに巻き付けられた釣り糸を通過させて繰り出すノズルと、ノズルから繰り出される釣り糸に対してテンションを付加するテンション付加部と、を有する結線具のノズルに、第２の釣り糸を延伸部側から挿通させる挿通ステップと、第２の釣り糸を、テンション付加部を介してボビンに巻き付けるボビン巻き付けステップと、結線具に第１の釣り糸の周りを回転させて、第２の釣り糸の結び目とそれに隣接する環状部の一部および延伸部の一部を第１の釣り糸の周りに直接巻回して第１の巻回部を形成する第１の巻回部形成ステップと、結線具に第１の釣り糸の周りを回転させて、延伸部の一部に隣接する延伸部の別の一部を第１の巻回部の外周に巻回して第２の巻回部を形成する第２の巻回部形成ステップと、を有する方法である。
【００１２】
これによれば、第１の局面による連結釣り糸を容易に作成することができる。しかも、結線具を回転させることで結線具に発生する遠心力を利用して第１の釣り糸に対して第２の釣り糸を強固に巻き付けて連結することができる。また、結果として、第２の釣り糸の結び目に起因する第２の巻回部の盛り上がりも極めて小さくすることができる。これにより、連結釣り糸の優れた美観が提供されるだけでなく、釣り竿のガイドリングに対する引っ掛かりを効果的に抑制できる。
【００１３】
また、本発明の第５の局面によれば、上記の方法において、第２の釣り糸は第１の釣り糸よりも細い。これによれば、第２の局面と同様の効果が得られる。
また、本発明の第６の局面によれば、上記の方法において、第１の巻回部形成ステップにより第１の巻回部が第１の釣り糸に沿って形成されていく方向と、第２の巻回部形成ステップにより第２の巻回部が第１の釣り糸に沿って形成されていく方向とは反対向きである。これによれば、第１の巻回部と第２の巻回部を連続して効率的に形成することができる。
【００１４】
また、本発明の第７の局面によれば、上記の方法において、テンション付加部は棒状部分を有し、ボビン巻き付けステップは、第２の釣り糸をテンション付加部の棒状部分の周りに巻き付けることを含む。これによれば、簡単な構成により第２の釣り糸に対してテンションを付加し、第１の釣り糸に対して強く巻き付けることができる。
【図面の簡単な説明】
【００１５】
【図１】図１は、糸巻きに部分的に巻かれた本発明の一実施形態に係る連結釣り糸を示す図である。
【図２】図２は、図１の連結釣り糸を示す図である。
【図３】図３は、図２の連結釣り糸を作成する方法を説明するための図である。
【図４】図４は、図２の連結釣り糸を作成する方法を説明するための図である。
【図５】図５は、図２の連結釣り糸を作成する方法を説明するための図である。
【図６】図６は、図２の連結釣り糸を作成する方法を説明するための図である。
【図７】図７は、図２の連結釣り糸を作成する方法を説明するための図である。
【図８】図８は、図２の連結釣り糸を作成する方法を説明するための図である。
【図９】図９は、図２の連結釣り糸を作成する方法を説明するための図である。
【図１０】図１０は、一実施形態の複数の変形例による留め具を示す図である。
【発明を実施するための形態】
【００１６】
以下、本発明を具体化した一実施形態に係る連結釣り糸１について、添付の図面を参照しながら説明する。
図１は、本実施形態の連結釣り糸１と、それを巻き付けて収容する糸巻き２を示す。連結釣り糸１は輪状の部分１Ａと、輪状の部分１Ａの一部から伸びる線状の部分１Ｂとからなる。糸巻き２は全体が円盤状であり、外縁の内側近傍の仮想円に沿って並ぶ複数のフック２Ａを有する。各フック２Ａはそれぞれ糸巻き２の径方向外側に開くように傾斜しており、複数のフック２Ａの外周側を跨ぐように連結釣り糸１を巻き付けて連結釣り糸１を収容できる。連結釣り糸１の収容時には輪状の部分１Ａも糸巻き２に巻きつけられフック２Ａに掛けられる。図１は、輪状の部分１Ａを含む部分を糸巻き２から外した状態を示す。糸巻き２の形状は円盤状に限らず、楕円状、矩形状、多角形状等、任意である。また、糸巻き２はフック２Ａを有するものに限らず、その外周に釣り糸を巻き付けるものなど、任意の態様で釣り糸を収容するものであってよい。
【００１７】
図２は図１の連結釣り糸１を取り出して示す図であり、連結釣り糸１を構成する糸の太さを、技術理解のために実際より太く示している。このことは、図３〜９においても同様である。図２に示すように、線状の部分１Ｂは中心の糸である第１の釣り糸１０と、その端部付近の周囲に巻回されている巻回部１Ｃとを有する。巻回部１Ｃと第１の釣り糸１０とは異なる釣り糸である一方、巻回部１Ｃと輪状の部分１Ａとは一本の第２の釣り糸２０からなる。すなわち、第２の釣り糸２０は第１の釣り糸１０の端部付近に巻回された巻回部１Ｃと、巻回部１Ｃの先端と一体化した輪状の部分１Ａとを有する。
【００１８】
第１の釣り糸１０は第２の釣り糸２０よりも太いものとすることが例示できる。例えば、第２の釣り糸２０としては釣具のリールに巻く道糸（ライン）と同じ特性を有する釣り糸を用いてもよく、例えば、軽く、しなやかで、かつ、高い引張強度を有するＰＥライン（ポリエチレンライン）を用いてもよい。一方、第１の釣り糸１０としては、比較的太くかつ比較的高い伸縮性を有する釣り糸であって、ルアーや釣り針等を連結するのに適した釣り糸（リーダー）を採用してもよい。例えば、第１の釣り糸１０として、結線が容易なナイロン製のリーダーや、摩耗に対する耐久性が高いフロロカーボン製のリーダーを用いることができる。
【００１９】
例えば、輪状の部分１Ａを道糸の先端に形成した輪状の部分に挿入し、その状態で線状の部分１Ｂを輪状の部分１Ａに通して引き絞ることで、輪状の部分１Ａと道糸の輪状の部分とを連結することができる。こうして、連結釣り糸１を道糸に対して極めて容易に連結することができる。
第１の釣り糸１０の直径の例として０．０５３ｍｍから２．３４０ｍｍの範囲内の直径を挙げることができ、より好ましい直径の例として０．１６５ｍｍから１．１７０ｍｍの範囲内の直径を挙げることができる。第１の釣り糸１０の直径は、例えば、釣り用品の標準規格の一つであるＪＡＦＳ−Ｄ１０５１１００（ナイロン糸・フロロカーボン糸・ポリエステル糸の標準直径）に規定の標準直径のいずれかに準拠するものとすることができる。
第２の釣り糸２０の太さの例として２０ｄ（デニール）から６０００ｄの範囲内の太さを挙げることができ、より好ましい太さの例として４０ｄから１２００ｄの範囲内の太さを挙げることができる。第２の釣り糸２０の太さは、例えば、釣り用品の標準規格の一つであるＪＡＦＳ−Ｄ１０１１１００２（ＰＥ糸の太さ標準規格）に規定の標準値のいずれかに準拠するものとすることができる。
また、第１の釣り糸１０の直径を、第２の釣り糸２０の直径の約２倍から約２．５倍の範囲内とすることが例示できる。
【００２０】
次に、図３〜図９を参照し、本実施形態の連結釣り糸１を作成する方法の一例を説明する。まず図３（ａ）に示す様に、第２の釣り糸２０の先端近傍部分を第２の釣り糸２０の途中の部分と重ねて第１の輪２０ａを作り、重ねた部分の付近を図３（ｂ）に示す様に捻って第２の輪２０ｂを作り、図３（ｃ）に示す様に第２の輪２０ｂの中に第１の輪２０ａを通して引っ張り、図３（ｄ）に示す様に結び目２１を作る。これにより、第２の釣り糸２０は環状部２２を有することとなる。図３（ｄ）に示す結び目２１から伸びる第２の釣り糸２０の一方の先端までの部分２０ｃは切り落とす。第２の釣り糸２０のうち、結び目２１から環状部２２とは反対側に伸びる線状部分を延伸部２３と呼ぶこととする。
【００２１】
次に図４に示す結線具１００に第２の釣り糸２０を取り付ける。図４に示す結線具１００は釣り糸を巻き付けるボビン１０１と、ボビン１０１を回転可能に保持するボビンホルダー１０２と、釣り糸を案内するノズル１０３と、を備える。ボビンホルダー１０２は２本のアーム１０２ａ、１０２ｂを有し、両アーム１０２ａ、１０２ｂの一端でボビン１０１を回転可能かつ取り外し可能に支持する。
【００２２】
まず、図４（ａ）に示すように、ノズル１０３に、第２の釣り糸２０をその延伸部２３側から挿通させる。次に、第２の釣り糸２０の延伸部２３の端部をボビン１０１の外周面に取り付ける。その際、例えば粘着テープを用いて取り付けてもよいが、これに限らない。また、図４（ｂ）に示すように、延伸部２３をアーム１０２ａ、１０２ｂのいずれか一方に数回（図示例では３回）巻き付け、ボビン１０１をボビンホルダー１０２に回転可能に取り付ける。以上の手順は一例であり、図４（ｂ）の状態が得られれば、本発明は以上の手順に何ら限定されない。次に、図４（ｃ）に示すように、ボビン１０１を回転させて第２の釣り糸２０をボビンの外周面に巻き付ける。環状部２２の一部または全部をノズル１０３の外側に残した状態でボビン１０１への第２の釣り糸２０の巻き付けを終了する。
【００２３】
次に、図５（ａ）に示すように、第１の釣り糸１０の途中部分に第２の釣り糸２０の環状部２２を沿わせ、両者を留め具２００（図示例ではガン玉）で挟んで固定する。両者を固定できれば、留め具２００で挟むことに代えて、指で強く挟んで固定する等してもよい。
次に、第１の釣り糸１０を振って、図５（ｂ）に示すように、結線具１００に第１の釣り糸１０の周りを回転させる。このようにすることで、結線具１００に遠心力が働き、第２の釣り糸２０がボビン１０１から解かれてノズル１０３から少しずつ繰り出され、第１の釣り糸１０の周りに間隔を空けずに緻密に巻き付けられる。この場合、第２の釣り糸２０がアーム１０２ａ、１０２ｂのいずれかに数回巻き付けられていることから第２の釣り糸２０とアーム１０２ａ、１０２ｂのうち巻き付けられた方との間の摩擦により第２の釣り糸２０の緩みを防止できる。こうして、結線具１００に働く遠心力により、繰り出される第２の釣り糸２０にテンションが付加され、第２の釣り糸２０を第１の釣り糸１０に対して強く緻密に巻き付けることができる。またこのとき、第２の釣り糸２０の環状部２２の一部が最初に第１の釣り糸１０の周りに巻き付けられることとなる。
【００２４】
更に結線具１００の回転を続けると、図６（ａ）に示すように、第２の釣り糸２０の結び目２１と、それに続いて延伸部２３が第１の釣り糸１０の周りに巻き付けられることとなる。更に結線具１００の回転を継続し、第１の釣り糸１０に沿って所定の距離まで第２の釣り糸２０を巻き付ける。なお、そこまで巻き付けた第２の釣り糸２０を第１の巻回部と呼ぶこととする。所定の距離とは、例えば、第１の巻回部の長さが約５ｍｍから約１００ｍｍの範囲内となる距離であることを例示できる。また、第１の巻回部全体の長さは、第１の巻回部の巻き始めから結び目２１までの長さの約２倍から約４倍の範囲内であることが例示できる。
【００２５】
図６（ａ）に示すように第１の巻回部を形成し終わった段階で、第２の釣り糸２０を第１の巻回部の外周に対して、第１の巻回部と同様に、間隔を空けずに緻密に巻き付け始める。すなわち、結線具１００の回転方向は同一で、図６（ａ）まで第１の巻回部を第１の釣り糸１０に沿って形成してきた方向ａから図６（ｂ）に示す第１の釣り糸１０に沿う反対の方向ｂに向かって結線具１００の回転を継続して第２の釣り糸２０を第１の巻回部の外周に巻き付ける。このような方向の反転は、第１の釣り糸１０を傾ける等して実現できる。これにより、第１の巻回部の外周に第２の釣り糸２０の延伸部２３が巻き付けられる。このように第１の巻回部の外周に更に第２の釣り糸２０が巻き付けられた部分を第２の巻回部と呼ぶこととする。留め具２００で固定した位置付近まで第２の巻回部を形成し、第２の釣り糸２０の巻き付けを終了する。第１の巻回部と第２の巻回部が、図２に示す巻回部１Ｃを構成する。巻回部１Ｃを形成するために結線具１００を回転する回数として約３０回から約２００回の範囲内であることが例示できる。結線具１００の回転方向は図示例の回転方向と反対向きでもよい。
【００２６】
次に、図７（ａ）、（ｂ）に示すように、第２の釣り糸２０の環状部２２とは反対側の第１の釣り糸１０の部分を任意の保持具３００に固定し、留め具２００を外し、結線具１００を引き、第２の釣り糸２０から外す。そのとき、第２の釣り糸２０の巻き終わり部分は手指で押さえておく。そして図８に示すように、自由端となっている延伸部２３を第１の釣り糸１０および環状部２２に巻き付けて、延伸部２３の輪にその先端を通して引き絞る態様でハーフヒッチを数回行う。そのとき、図８（ａ）、（ｂ）に示すように、延伸部２３と、第１の釣り糸１０および環状部２２の重なりの上下関係を交互に変えながらハーフヒッチを複数回行ってもよい。
【００２７】
次に、図９（ａ）に示すように、延伸部２３を、巻回部１Ｃとなる側に向かって、第１の釣り糸１０および環状部２２に対して複数回（図示例では３回）巻き付け、その際、延伸部２３の輪にその先端を毎回通し、最後に延伸部２３の先端を引き絞る態様でエンドノットを行う。
図９（ｂ）に示す第１の釣り糸１０のうち、エンドノット部分から先に延出する部分は切り落とす。図９（ｂ）に示す第２の釣り糸２０のうち、エンドノット部分から先に延出する延伸部２３は切り落としてもよく（ｘの位置で切り落とす）、あるいは、若干の長さ（数センチ程度）を残して切り落としてもよい（ｙのような位置で切り落とす）。切り落とした先端を適度に加熱溶融して丸くしてもよい。
以上により図２に示す本実施形態に係る連結釣り糸１が完成する。
巻回部１Ｃに対してコーティングを施してもよい。コーティング材として、有機溶剤、着色剤、樹脂、その他の添加剤からなる油性のインクを用いてもよい。
【００２８】
エンドノット部分から若干の長さだけ延出するように延伸部２３を切り残した場合、その切り残した部分を、釣り糸の巻き上げ過ぎを防止するための目印等として利用できる。また、切り残した部分はある程度の長さを有するため釣り竿のガイドリングを通るときに撓みやすく、連結釣り糸１がガイドリングをスムーズに通過する助けとなる。
【００２９】
図１に示す糸巻き２は連結釣り糸１の輪状の部分１Ａ（すなわち、第２の釣り糸２０の環状部２２のうち、第１の巻回部に含まれない部分）を通過できる大きさであることが好ましい。このことにより、輪状の部分１Ａとその近傍のみを糸巻き２から外して線状の部分１Ｂの大部分（すなわち、第１の釣り糸１０の大部分）を糸巻き２に巻いたままで、連結釣り糸１を道糸に連結する作業を行うことができる。その場合、例えば、輪状の部分１Ａを道糸の先端に形成した輪状の部分に通し、その状態で糸巻き２ごと輪状の部分１Ａに通して引き絞ることで連結釣り糸１を道糸に連結することができ、線状の部分１Ｂを解いた状態で道糸に対する連結を行う場合に比べて作業効率が格段に高い。線状の部分１Ｂの長さは任意であるが、例えば３ｍ〜１０ｍの範囲内とすることができる。輪状の部分１Ａの周長は任意であるが、例えば約２０ｃｍ〜約５０ｃｍの範囲内とすることができる。
【００３０】
留め具２００は図５、６に示したものに何ら限られず、複数の釣り糸をまとめて固定できるものであればどのような器具を用いてもよい。例えば、図１０（Ａ）、（Ｂ）にそれぞれ示す留め具２００’、２００”は、複数の重ねた弾性部材（ゴム板やゴムブロック等）２０２の穴または溝に一方側からねじ２０１を挿通して、他方側の蝶ナット２０３にねじ２０１の先端を締結することで、複数の弾性部材２０２をそれらの重なり方向に挟み付けるものである。符号２０４の部材はワッシャ―である。図１０（Ａ）に示す各弾性部材２０２は中心部付近に軸方向の貫通部分を有する円盤状のゴム板である。図１０（Ｂ）に示す各弾性部材２０２は中心部付近に軸方向の貫通部分を有する円錐台状のゴムブロックである。
複数の弾性部材２０２の間に第１の釣り糸１０と第２の釣り糸２０を挟み、ねじ２０１を蝶ナット２０３に対して締め付けることで、第１の釣り糸１０と第２の釣り糸２０をまとめて固定できる。そのため、図１０（Ａ）、（Ｂ）に示す留め具２００’、２００”を、図５、６の留め具２００に代えて用いることができる。
【００３１】
以上の説明においては本発明の実施形態を、第１の釣り糸１０および第２の釣り糸２０からなる連結釣り糸１を用いて説明したが、本発明はこれに限らない。すなわち、実現が可能な範囲において、第１の釣り糸１０および第２の釣り糸２０に代えていかなる線状部材を用いて本発明を実施してもよく、そのような実施形態も本発明に含まれる。
本明細書の中で明示した特許公報の内容は、その全ての内容を援用によって本明細書中に取り込むこととする。
【符号の説明】
【００３２】
１  連結釣り糸
１Ａ  輪状の部分
１Ｂ  線状の部分
１Ｃ  巻回部
２  糸巻き
２Ａ  フック
１０  第１の釣り糸
２０  第２の釣り糸
２１  結び目
２２  環状部
２３  延伸部
１００  結線具
１０１  ボビン
１０２  ボビンホルダー
１０２ａ、１０２ｂ  アーム
１０３  ノズル
２００、２００’、２００”  留め具
２０１  ねじ
２０２  弾性部材
２０３  蝶ナット
２０４  ワッシャ―
３００  保持具
【図１】
2019097394.tif 000003
【図２】
2019097394.tif 000004
【図３】
2019097394.tif 000005
【図４】
2019097394.tif 000006
【図５】
2019097394.tif 000007
【図６】
2019097394.tif 000008
【図７】
2019097394.tif 000009
【図８】
2019097394.tif 000010
【図９】
2019097394.tif 000011
【図１０】
2019097394.tif 000012